(57)【要約】【課題】プロジェクターの機種を変更した場合でも、天吊り装置を交換しなくてもすむプロジェクターの機種に関係なく使用できる天吊り装置を提供する事にある。【解決手段】プロジェクター側ブラケットにアタッチメントアングルを配し、前記アタッチメントアングルを移動固定する事により、プロジェクターの固定ボス位置に合わせプロジェクターとプロジェクター側ブラケットを固定する。【選択図】図１
2006330135.tif 000002
【特許請求の範囲】
【請求項１】
プロジェクターに固定されるプロジェクター側ブラケットと、直接あるいは天井から垂下されたプロジェクター吊り下げ固定用部材を介して天井に固定される天井ブラケットと、を備え、前記プロジェクター側ブラケットと前記天井側ブラケットとが固定されるプロジェクター天吊り装置であって、前記プロジェクター側ブラケットは２個以上のアタッチメントアングルを有し、該アタッチメントアングルを移動固定する事により、２機種以上のプロジェクターを固定する機能を設けたことを特徴とするプロジェクター天吊り装置。
【請求項２】
前記プロジェクター側ブラケットと、前記天井側ブラケット間において、一ヶ所以上の角度変更掛止機能を備えたことを特徴とする請求項１に記載のプロジェクター天吊り装置。
【発明の詳細な説明】
【技術分野】
【０００１】
本考案は、画像を投射レンズを介して投射画面上に拡大投射するプロジェクターを天井から吊り下げた形態に保持するプロジェクター天吊り装置に関するものである。
【背景技術】
【０００２】
画像を投射レンズを介して投射画面上に拡大投射するプロジェクターは、従来より広く知られているが、そのプロジェクターも機能や性能が日々進化している。また、プロジェクターのユーザーも、性能アップの機種をほしがっている。
【０００３】
しかし、ほとんどのプロジェクター一機種において、プロジェクターと天吊り装置は、一対一の関係となっていた。これは、プロジェクターの設計において内部部品の違い、部品レイアウト、外観デザインの違いが優先され、外部の固定用ボス位置の統一化は置き去りにされている事に起因する。
【０００４】
ましてや、メーカーが異なる場合、固定するボスの位置はもちろん、固定用ボスの数まで異なっている。また、各々天吊り装置を提案しているのが現状である。特願平８−１６５７３８、特開平９−１８５１２５にての独自の天吊り金具の提案はされている。
【０００５】
このような状態において、ユーザーがプロジェクターの機種を変更する場合、天吊り装置も交換しなければならないことがほとんどであった。このことは、ユーザーに多くの出費をさせることは言うまでも無い。
【特許文献１】特願平８−１６５７３８
【特許文献１】特開平９−１８５１２５
【発明の開示】
【発明が解決しようとする課題】
【０００６】
本発明は、前記従来技術の問題点に鑑みなされたもので、その目的は、プロジェクターの機種を変更した場合でも、天吊り装置を交換しなくてもすむ、プロジェクターの機種に関係なく使用できる天吊り装置を提供する事にある。
【課題を解決するための手段】
【０００７】
本発明は、プロジェクター側ブラケットにアタッチメントアングルを配し、前記アタッチメントアングルを移動固定する事により、プロジェクターの固定ボス位置に合わせプロジェクターとプロジェクター側ブラケットを固定することを最も主要な特徴とする。
【発明の効果】
【０００８】
本発明の天吊り装置は、アタッチメントアングルを移動固定する事により、様々な位置の固定ボスに対応し、よってプロジェクターを次々に変更しても、本発明の天吊り装置一個にて天吊り固定が可能になるという利点がある。
【発明を実施するための最良の形態】
【０００９】
天井ブラケットと天吊り装置本体を取り外し、プロジェクターを床または机の上に置いた状態で天吊り装置本体とプロジェクターを固定し、天吊り装置本体とプロジェクターを一体とした物を天井ブラケットにスライド仮固定し、Ｘ・Ｙ・Ｚ軸を各々調整後固定する。天井ブラケットに対する天吊り装置本体の仮固定にスライド差込方式を採用しており、組立の容易性を向上させている。
【実施例１】
【００１０】
図１は、本発明の一実施例である天吊り装置のプロジェクター側ブラケット部の斜視図である。１１はアタッチメントアングルであって、該アタッチメントアングル１１は、１２のプロジェクター固定面、１３の補強リブ、１４のボルトスライド穴を備えている。該アタッチメントアングル１１は、１５のボルト、１６のナット、１７のワッシャーを使用し、１８のブラケットに固定されている。固定に対してはスプリングワッシャーを使用する場合もある。また該アタッチメントアングル１１の数は特に規定しないが、プロジェクターの固定ボスの数が３又は４本が多い為、該アタッチメントアングル１１も４本配することが望ましい。
【００１１】
アタッチメントアングル１１は、ブラケット１８に対し一点固定である為、該ブラケット１８に対し各々自由位置・角度にて固定することができる。
【００１２】
該ブラケット１８には、２０のステーを該ステー２０両端に配された２１のビスにて固定されている。
【００１３】
図２は、天吊り装置の実施例を示した斜視図である。２２は下部ブラケットであって、２３は下部高さ用シャフト、３１は回転板、３２は固定つまみ、３３は上部シャフト、３４は上部固定つまみ、３５は上部ブラケットである。図では、該上部シャフト３３は短くなっているが、該上部シャフト３３を長くする場合もある。
【００１４】
図３は、天吊り装置のＸ、Ｙ、Ｚ軸の角度調整機能を説明する斜視図である。ステー２０はビス２１の軸上を中心に回転可動に配されている。該ビス２１の軸をＸ軸と考える。回転板３１は、固定つまみ３２を緩めることで該固定つまみ３２の軸上を中心に回転可動に配されている。該固定つまみ３２の軸をＹ軸と考える。上部ブラケット３５は上部固定つまみ３４を緩めることで該上部つまみ３４の軸上を中心に回転可動に配されている。該上部固定つまみ３４の軸をＺ軸と考える。以上Ｘ、Ｙ、Ｚ３軸の調整によりプロジェクターの映写方向を自由に設定できる。
【００１５】
図４は、天吊り装置のプロジェクター側ブラケット部と、プロジェクターの関係を説明する斜視図である。１はプロジェクターであり、２は固定ボスである。この時、該プロジェクター１の該固定ボス２の位置と天吊り装置の固定穴位置は一致していない。
【００１６】
図５は、天吊り装置のプロジェクター側ブラケット部のアタッチメントアングルを、プロジェクターに固定した状態を説明する斜視図である。図４のアタッチメントアングル１１の固定ナット１６を緩め、固定ボス２との位置合わせをした後、再度固定ナット１６を締め詰めて固定している。
【００１７】
図６は、天井ブラケットの斜視図である。４０は天井ブラケットであって、４１はビス、４２は係合ミゾである。該天井ブラケット４０は、単体にて天井に該ビス４１によって固定する。
【００１８】
図７は、天吊り装置とプロジェクターを固定した物を天井ブラケットに組み込む状況を説明する下方向から見た斜視図である。
【００１９】
図８は、天吊り装置とプロジェクターを固定した物を天井ブラケットに組み込んだ状況を説明する下方向から見た斜視図である。
【００２０】
図９は、天吊り装置を天井ブラケットに組み込む状況を説明する天井方向から見た斜視図である。図７が下方から見上げた方向の斜視図に対し、図９は天井方向からの斜視図である。
【００２１】
図１０は、天吊り装置を天井ブラケットに組み込んだ状況を説明する天井方向から見た斜視図である。図８が下方から見上げた方向の斜視図に対し、図１０は天井方向からの斜視図である。天吊り装置とプロジェクター１を固定したものにおいて、上部ブラケット３５と上部ワッシャープレート３６の間に天井ブラケット４０に差し込み、仮保持させる。上部ワッシャープレート３６が天井ブラケット４０の係合ミゾ４２に乗った状態の仮保持状態から、上部固定つまみ３４を回し完全固定する。
【００２２】
以上説明したように、本考案の天吊り装置はプロジェクターの固定ボス位置がプロジェクター上面のどこに配されていても固定が可能である。説明文中におけるビス、ボスは大きさに関係なく、また別の結合手段を取る場合もある。
【産業上の利用可能性】
【００２３】
天井ブラケットを天井に取付けた後、ユーザーが使用するプロジェクターが変わっても、本考案の天吊り装置一つにて対応が可能であり、ユーザーは無駄な出費を抑えることができ、また天井の色々な位置に固定用のビス・ボスの穴を開けなくてもよいという利点がある。
【図面の簡単な説明】
【００２４】
【図１】本発明の一実施例である天吊り装置のプロジェクター側ブラケット部の斜視図。
【図２】天吊り装置の実施例を示した斜視図。
【図３】天吊り装置のＸ、Ｙ、Ｚ軸の角度調整機能を説明する斜視図。
【図４】天吊り装置のプロジェクター側ブラケット部と、プロジェクターの関係を説明する斜視図。
【図５】天吊り装置のプロジェクター側ブラケット部のアタッチメントアングルを、プロジェクターに固定した状態を説明する斜視図。
【図６】天井ブラケットの斜視図。
【図７】天吊り装置とプロジェクターを固定した物を天井ブラケットに組み込む状況を説明する下方向から見た斜視図。
【図８】天吊り装置とプロジェクターを固定した物を天井ブラケットに組み込んだ状況を説明する下方向から見た斜視図。
【図９】天吊り装置を天井ブラケットに組み込む状況を説明する天井方向から見た斜視図。
【図１０】天吊り装置を天井ブラケットに組み込んだ状況を説明する天井方向から見た斜視図。
【符号の説明】
【００２５】
１    液晶プロジェクター
２    固定ボス
３    固定ビス
１１    アタッチメントアングル
１２    プロジェクター固定面
１３    補強リブ
１４    ボルトスライド穴
１５    ボルト
１６    ナット
１７    ワッシャー
１８    ブラケット
２０    ステー
２１    ビス
２２    下部ブラケット
２３    下部高さ用シャフト
３１    Ｚ軸回転盤
３２    Ｚ軸固定つまみ
３３    上部高さ用シャフト
３４    Ｙ軸上部固定つまみ
３５    上部ブラケット
３６    上部ワッシャープレート
４０    天井ブラケット
４１    ビス
４２    係合ミゾ
【図１】
2006330135.tif 000003
【図２】
2006330135.tif 000004
【図３】
2006330135.tif 000005
【図４】
2006330135.tif 000006
【図５】
2006330135.tif 000007
【図９】
2006330135.tif 000008
【図１０】
2006330135.tif 000009
【図６】
2006330135.tif 000010
【図７】
2006330135.tif 000011
【図８】
2006330135.tif 000012